(57)【要約】【課題】イジェクト機構の幅寸法を小さくできるとともに、揺動するカム部材を要することなくいわゆるプッシュープッシュ作用を可能にしたイジェクト機構を有するカードコネクタを提供する。【解決手段】カードコネクタ１のイジェクト機構４０は、フレーム２０の側方に設けられ、第１バー５０と、第２バー６０と、カバー部材７０とを備える。フレーム２０には、第１バー５０の係合アーム５３に係止して第１バー５０の後退を防止してロックする、テーパ面２９ａを有する切り起こしストッパ２９が形成される。第１バー５０のロック時に、係合アーム５３がテーパ面２９ａによって外側に撓み、第２バー６０の通過を許容する。カバー部材７０には、第１バー５０のロック解除時に、係合アーム５３を上方へ撓ませる第１テーパ部７８が設けられる。第２バー６０には、第１バー５０のロック解除時に、係合アーム５３が係合する側縁６３ａを有する案内部６３が設けられる。【選択図】      図９
2005011574.tif 000002
【特許請求の範囲】
【請求項１】
コンタクトを保持するハウジングと、該ハウジングに取り付けられ、カードを挿抜可能に案内するフレームと、前記ハウジングに回動可能に配置され、回動により前記カードを抜出方向に排出する回動アームと、前記フレームの側方に設けられ、前記カードの排出時に前記回動アームを回動させるイジェクト機構とを具備し、
該イジェクト機構が、一端に操作部を他端に係合アームを有する第１バーと、前記カードの排出時に前記係合アームと係合可能な第１係合部を一端に、前記回動アームに係合する第２係合部を他端に有する第２バーと、前記第１バー及び前記第２バーを前後方向に移動可能に支持するカバー部材とを備え、
前記第１バー及び前記第２バーは前記フレームの側壁に沿って一列に配置されると共に、前記第１バーを後方に付勢する付勢手段を設け、
前記フレームに、前記係合アームに係止して前記第１バーの後退を防止してロックする、テーパ面を有する切り起こしストッパを形成し、前記第１バーのロック時には、前記係合アームが前記ストッパのテーパ面によって前記フレームに対して外側に撓むことにより、前記第２バーの第１係合部の通過を許容し、
前記カバー部材に、前記第１バーのロック解除時に、前記係合アームを上方へ撓ませるテーパ部を設け、
前記第２バーに、前記第１バーのロック解除時に、前記テーパ部により上方へ撓んだ前記係合アームが係合する側縁を有する案内部を設けたことを特徴とするカードコネクタ。
【請求項２】
前記カバー部材に、前記第１バーのロック解除時に、前記ストッパのテーパ面により外側に撓んだ前記係合アームを内側に付勢する第２テーパ部を設けたことを特徴とする請求項１記載のカードコネクタ。
【請求項３】
前記第１バーに、前記第１バーのロック解除時に、前記係合アームとともに前記案内部を挟み込む支持片を設けたことを特徴とする請求項１又は２記載のカードコネクタ。
【請求項４】
前記第２バーの第１係合部に、前記第１バーのロック解除時に、前記係合アームの後退を案内する案内傾斜面を設けたことを特徴とする請求項１乃至３のうちいずれか一項に記載のカードコネクタ。
【請求項５】
前記カバー部材に、前記第１バーのロック解除時に、前記第２バーの前進を防止する弾性ロック部材を設けたことを特徴とする請求項１乃至４のうちいずれか一項に記載のカードコネクタ。
【発明の詳細な説明】
【０００１】
【発明の属する技術分野】
本発明は、いわゆるプッシュープッシュ作用を可能にしたイジェクト機構を有するカードコネクタに関する。
【０００２】
【従来の技術】
メモリカード等のカードをコネクタ内に挿入しているとき及びカードをコネクタ内に挿入していないときには、操作部が突出せず、コネクタ内に挿入しているカードを排出するときのみ操作部を突出させるようにしたいわゆるプッシュープッシュ作用を可能にしたイジェクト機構を有するカードコネクタが開発されている。
【０００３】
従来、この種のイジェクト機構を有するカードコネクタとして、例えば、図１３及び図１４に示すものが知られている（特許文献１参照）。
このカードコネクタ１０１は、コネクタ部１１０と、カードＣを挿抜可能に案内する枠体１２０と、枠体１２０の側方に設けられたプッシュープッシュ式イジェクト機構１３０と、イジェクト機構１３０のプッシュロッドからの押圧力を受けて回動する離脱用レバー１４０と、離脱用レバー１４０の回動に伴って、挿入されたカードＣを排出するフレーム１５０とを備えている。
【０００４】
ここで、プッシュロッドは、操作者からの押圧力を受ける第１ロッド１３１と、この押圧力を離脱用レバー１４０に伝達する第２ロッド１３２とを有し、第１ロッド１３１及び第２ロッド１３２は、中間部材１３４を介して係合するようになっている。中間部材１３４は、スプリング１３６により第１ロッド１３１に回動可能に軸支されており、第２ロッド１３２に係合する位置とこの係合を解除する位置との間を回動するようになっている。中間部材１３４の回動は、中間部材１３４に取り付けられたスプリング１３６の一端１３５がカバー部材１３３に形成されたハートカム溝１３７に係合して、第１ロッド１３１の往復動に伴ってハートカム溝１３７を循環移動することによって達成される。
【０００５】
しかしながら、この図１３及び図１４に示したカードコネクタ１０１にあっては、ハートカム構造を採用しイジェクト機構１３０が幅方向に大きいため、カードコネクタ１０１の全体を小型化できないという問題がある。
この問題を解決するため、いわゆるプッシュープッシュ式イジェクト機構を有するカードコネクタとして、例えば、図１５及び図１６に示すものが提案されている（特許文献２参照）。
【０００６】
このカードコネクタ２０１は、カードＣを挿抜可能に案内するフレーム２１０と、フレーム２１０の側方に設けられたプッシュープッシュ式イジェクト機構２２０と、イジェクト機構２２０のプッシュロッドからの押圧力を受けて回動し、挿入されたカードＣを排出するイジェクトレバー２３０とを備えている。
ここで、プッシュロッドは、操作者からの押圧力を受ける第１ロッド２２１と、この押圧力をイジェクトレバー２３０に伝達する第２ロッド２２２とを有している。第２ロッド２２２と対向する第１ロッド２２１の先端には、ガイド板２４０に形成されたガイド溝２４１に係合するカム部材２５０が設けられ、カードＣの排出時に第１ロッド２２１と第２ロッド２２２とがカム部材２５０を介して連係するようになっている。
【０００７】
このように、カードＣの排出のためのイジェクトレバー２３０を駆動するプッシュロッドを第１ロッド２２１と第２ロッド２２２とで構成し、両ロッド２２１，２２２をカム部材２５０を介して作動せしめることとし、カム部材２５０が係合するガイド溝２４１を有するガイド板２４０を板状に形成したので、カードコネクタ２０１の幅寸法を小さくでき、カードコネクタ２０１の全体を小型化できる。
【０００８】
【特許文献１】
特開平１１−２１９７５６号公報
【特許文献２】
特開２００２−３２４６２３号公報
【０００９】
【発明が解決しようとする課題】
しかしながら、図１５及び図１６に示したカードコネクタ２０１にあっては、以下の問題点があった。
即ち、カム部材２５０は曲げ加工を伴いながら高精度を要求されるので、カム部材２５０の製造が容易ではない。また、カム部材２５０のカードコネクタ２０１への組み付けにおいては、カム部材２５０のフック部２５１にばね部材２５３を引っ掛け、さらに、カム部材２５０の係合部２５２をガイド板２４０の内側からガイド溝２４１に係合させる必要があり、カム部材２５０のカードコネクタ２０１への組立作業が容易ではない。
従って、本発明は上述の問題点に鑑みてなされたものであり、その目的は、イジェクト機構にハートカム構造を採用せずに幅寸法を小さくできるとともに、揺動するカム部材を要することなくいわゆるプッシュープッシュ作用を可能にしたイジェクト機構を有するカードコネクタを提供することにある。
【００１０】
【課題を解決するための手段】
上記問題を解決するため、本発明のうち請求項１に係るカードコネクタは、コンタクトを保持するハウジングと、該ハウジングに取り付けられ、カードを挿抜可能に案内するフレームと、前記ハウジングに回動可能に配置され、回動により前記カードを抜出方向に排出する回動アームと、前記フレームの側方に設けられ、前記カードの排出時に前記回動アームを回動させるイジェクト機構とを具備し、該イジェクト機構が、一端に操作部を他端に係合アームを有する第１バーと、前記カードの排出時に前記係合アームと係合可能な第１係合部を一端に、前記回動アームに係合する第２係合部を他端に有する第２バーと、前記第１バー及び前記第２バーを前後方向に移動可能に支持するカバー部材とを備え、前記第１バー及び前記第２バーは前記フレームの側壁に沿って一列に配置されると共に、前記第１バーを後方に付勢する付勢手段を設け、前記フレームに、前記係合アームに係止して前記第１バーの後退を防止してロックする、テーパ面を有する切り起こしストッパを形成し、前記第１バーのロック時には、前記係合アームが前記ストッパのテーパ面によって前記フレームに対して外側に撓むことにより、前記第２バーの第１係合部の通過を許容し、前記カバー部材に、前記第１バーのロック解除時に、前記係合アームを上方へ撓ませるテーパ部を設け、前記第２バーに、前記第１バーのロック解除時に、前記テーパ部により上方へ撓んだ前記係合アームが係合する側縁を有する案内部を設けたことを特徴としている。
【００１１】
このカードコネクタによれば、カードの挿入前は、第２バーが前方に位置し、その一方、第１バーは係合アームがフレームのストッパに係止されて後退が防止されている。この第１バーのロック時に、カードを挿入すると、カードの挿入に押圧されて回動アームが回動し、これにより第２係合部を介して第２バーが後退する。第１バーのロック時には、第１バーの係合アームがストッパのテーパ面によってフレームに対して外側に撓んでいるので、第２バーの第１係合部のフレームと係合アームとの間の通過が許容される。そして、カードを排出するときには、第１バーの操作部を押圧して前進させて第１バーのロックを解除する。この第１バーのロック解除時には、テーパ部により上方へ撓む。テーパ部により上方へ撓んだ係合アームは第２バーの案内部の側縁に係合し、第１バーの押圧操作をやめると第１バーを後方へ付勢する付勢手段の作用により第１バーが後退し、係合アームは案内部の側縁に沿って移動しつつストッパ横を通過してロックが解除される。このとき、第１バーの操作部はカード排出操作位置に突出する。そして、この突出した第１バーの操作部を押圧して前進させると、第１バーの係合アームが第２バーの第１係合部に係合して第２バーが前進する。これにより、第２バーの第２係合部を介して回動アームが回動し、カードが抜出方向に排出される。第１バーの係合アームは、第２バーが最前進位置に位置するまで前進するが、この前進状態において押圧操作をやめると、付勢手段により第１バーが後退し、係合アームがフレームのストッパに係止され、後退が防止される。
【００１２】
また、本発明のうち請求項２に係るカードコネクタは、請求項１記載の発明において、前記カバー部材に、前記第１バーのロック解除時に、前記ストッパのテーパ面により外側に撓んだ前記係合アームを内側に付勢する第２テーパ部を設けたことを特徴としている。
このカードコネクタによれば、第１バーのロック解除時には、ストッパのテーパ面により外側に撓んだ係合アームがカバー部材の第２テーパ部により確実に内側に付勢される。
【００１３】
また、本発明のうち請求項３に係るカードコネクタは、請求項１又は２記載の発明において、前記第１バーに、前記第１バーのロック解除時に、前記係合アームとともに前記案内部を挟み込む支持片を設けたことを特徴としている。
このカードコネクタによれば、第１バーのロック解除時には、テーパ部により上方へ撓んだ係合アームが第２バーの案内部の側縁に係合するとともに支持片が案内部の下方に入り込み、係合アームと支持片とにより案内部を挟み込む。そして、第１バーの押圧操作をやめると第１バーを後方へ付勢する付勢手段の作用により第１バーが後退し、このとき係合アームと支持片とにより挟み込まれた案内部がストッパ近傍まで後退し、係合アームは案内部上を移動しつつストッパ上を通過してロックが解除される。
【００１４】
更に、本発明のうち請求項４に係るカードコネクタは、請求項１乃至３のうちいずれか一項に記載の発明において、前記第２バーの第１係合部に、前記第１バーのロック解除時に、前記係合アームの後退を案内する案内傾斜面を設けたことを特徴としている。
このカードコネクタによれば、第１バーのロック解除時に、係合アームの後退が案内傾斜面により案内され、ロックが解除される。
【００１５】
また、本発明のうち請求項５に係るカードコネクタは、請求項１乃至４のうちいずれか一項に記載の発明において、前記カバー部材に、前記第１バーのロック解除時に、前記第２バーの前進を防止する弾性ロック部材を設けたことを特徴としている。
このカードコネクタによれば、第１バーのロック解除時に、弾性ロック部材により第２バーの前進が防止される。
【００１６】
【発明の実施の形態】
次に本発明の実施形態を図面を参照して説明する。図１は本発明に係るカードコネクタを示し、（Ａ）は背面図、（Ｂ）は平面図、（Ｃ）は正面図である。図２は図１のカードコネクタを示し、（Ａ）は右側面図、（Ｂ）は左側面図である。
図１及び図２において、カードコネクタ１は、ハウジング１０と、フレーム２０と、回動アーム３０と、イジェクト機構４０とを具備している。
【００１７】
ハウジング１０は、長手方向（図１（Ｂ）における左右方向）に延びる略直方体形状体で構成され、絶縁性の樹脂を成形することによって形成される。ハウジング１０の長手方向両端には、回路基板（図示せず）上に実装するための基板実装部１１が設けられ、各基板実装部１１には、取付ねじ用貫通孔１２が形成されている。そして、ハウジング１０には、複数のコンタクト１３が長手方向に沿って保持されている。各コンタクト１３は、金属板を打抜き及び曲げ加工することによって形成され、回路基板に半田接続されるとともに、カードコネクタ１に挿入されたメモリカード等のカードＣに嵌合接触するようになっている。そして、回動アーム３０は、ハウジング１０内に回動可能に配置され、ハウジング１０内部の一端に、挿入されたカードＣに係合するカード係合部（図示せず）を備え、ハウジング１０外部の他端に、後述する第２バー６０の第２係合部６４の折り曲げ部６５に係合するバー係合部３１を備えている。回動アーム３０は、回動により、挿入されたカードＣを抜出方向（図１（Ｂ）における下方向）に排出する。
【００１８】
図３はフレームとイジェクト機構との組立状態を示し、（Ａ）は平面図、（Ｂ）は正面図、（Ｃ）は左側面図である。図４はフレームを示し、（Ａ）は平面図、（Ｂ）は正面図、（Ｃ）は左側面図である。
フレーム２０は、矩形状の平板部２１と、平板部２１の幅方向両端（図１（Ｂ）における左右方向両端）から下方に折り曲げられた１対の側壁部２２とを具備し、金属板を打抜き及び曲げ加工することによって形成される。平板部２１の幅方向両端の前方部（図１（Ｂ）における上方部）には、ハウジング１０の長手方向両端部に圧入固定される固定部２３が下方に折り曲げ形成されている。また、各側壁部２２の後方部には、回路基板上への実装部２４が折り曲げ形成されている。そして、平板部２１の幅方向両端であって側壁部２２より内側には、平板部２１より下方に突出する複数のガイド突部２５が形成されている。各ガイド突部２５は、連結片２８により側壁部２２の上端に連結されている。また、各側壁部２２の下端からは複数の折り曲げ部２６が折り曲げ形成されている。カードＣの挿抜時において、ガイド突部２５及び折り曲げ部２６によりカードＣの上下方向の移動を規制し、さらに、１対の側壁部２２によりカードＣの左右方向（ハウジング１０の長手方向）の移動を規制し、前記カードＣの挿抜可能に案内するようになっている。また、各側壁部２２の後方部には、挿入されたカードＣの側部に接触する接地片２７が内側に向けて折り曲げ形成されている。また、各側壁部２２の前後方向略中央部には、後述する第１バー５０の係合アーム５３に係止して第１バー５０の後退を防止してロックする、テーパ面２９ａを有する切り起こしストッパ２９が形成されている。
【００１９】
また、イジェクト機構４０は、フレーム２０の側方に設けられ、第１バー５０と、第２バー６０と、カバー部材７０とを備えている。第１バー５０及び第２バー６０は、第１バー５０を後方側に第２バー６０を前方側にしてフレーム２０の一方の側壁部２０に沿って側壁部２０の外側に一列に配置される。そして、フレーム２０に取り付けられるカバー部材７０により、第１バー５０及び第２バー６０は前後方向に移動可能に支持される。
図５は第１バーを示し、（Ａ）は平面図、（Ｂ）は左側面図である。図６は第２バーを示し、（Ａ）は平面図、（Ｂ）は左側面図である。図７はカバー部材を示し、（Ａ）は平面図、（Ｂ）は左側面図、（Ｃ）は底面図、（Ｄ）は正面図である。
【００２０】
ここで、第１バー５０は、フレーム２０の側壁部２２に沿って前後方向に延びる本体部５１を有し、金属板を打抜き及び曲げ加工することによって形成される。本体部５１の後端には、図５に示すように、本体部５１から外側に傾斜する第１傾斜５１ａ、第１傾斜部５１ａから後方に延びる平板部５１ｂ、及び平板部５１ｂから外側に傾斜する第２傾斜部５１ｃを介して後方に突出するボタン固定部５２が形成されている。このボタン固定部５２には、図１及び図３に示すイジェクトボタン（操作部）９０が圧入固定される。また、本体部５１の前端には、前方に突出する係合アーム５３が形成されている。係合アーム５３の前端には、カードＣの排出時に第２バー６０の第１係合部６２に係合する係合部５４が設けられ、係合部５４の下端にはフレーム２０のストッパ２９に係止されロックされる係止部５５が突出形成されている。係止部５５による第１バー５０のロック時には、係合アーム５３がストッパ２９のテーパ面２９ａによってフレーム２０に対して外側に撓むことにより、第２バー６０の第１係合部６２の通過を許容するようになっている。また、本体部５１の前端には、第１バー５０のロック解除時に、第２バー６０の案内部６３を係合アーム５３に形成された係止部５５とともに挟み込む支持片５６が前方に向けて突出形成されている。この挟み込みにより、第１バー５０の後退時（図８（Ｄ）及び図９（Ｄ）参照）に第２バー６０の案内部６３（図６（Ｂ）参照）を後方へ引き込んでストッパ２９に近接させる。また、本体部５１の前方側上端には、第１バー５０を後方に付勢する引張ばね（付勢手段）８０の一方のフック部が掛かり止めされる掛止部５７が外側に向けて折り曲げ形成されている。係合アーム５３と並んで設けられているのは、カバー部材７０の案内部７２と係合して第１バー５０の傾きを防止するガタ防止片５８である。
【００２１】
また、第２バー６０は、フレーム２０の側壁部２２に沿って前後方向に延びる本体部６１を有し、金属板を打抜き及び曲げ加工することによって形成される。本体部６１の後端には、図６に示すように、カードＣの排出時に係合アーム５３に設けられた係合部５４が係合する第１係合部６２が後方に向けて突出形成されている。第１係合部６２には、第１バー５０のロック解除時に、係合アーム５３の後退を案内する案内傾斜面６２ａが設けられている。そして、本体部６１の後端には、第１バー５０のロック解除時に、後述するカバー部材７０に形成された第１テーパ部７８により上方へ撓んだ係合アーム５３の係止部５５が係合する側縁６３ａを有する案内部６３が設けられている。案内部６３の幅は、フレーム２０のストッパ２９の幅より大きい（図９（Ｃ）及び（Ｄ）参照）。一方、本体部６１の前端には、外側に傾斜する傾斜部６１ａを介して前方に突出する第２係合部６４が形成されている。第２係合部６４の前端は外側に折り曲げられた折り曲げ部６５としてある。折り曲げ部６５は、回動アーム３０の係合部３１に係合する。また、本体部６１の第２係合部６４寄りには、カバー部材７０の弾性片７９が係止する孔６６が形成されている。
【００２２】
更に、カバー部材７０は、図７に示すように、第１バー５０及び第２バー６０を覆うようにフレーム２０の側壁部２２に沿って前後方向に延びる本体部７１を有し、金属板を打抜き及び曲げ加工することによって形成される。本体部７１の上端及び下端には、第１バー５０の本体部５１及び第２バー６０の本体部６１の上下方向の移動を規制する案内片７２，７２’がそれぞれ内側に向けて折り曲げ形成されている。第１バー５０及び第２バー６０は、本体部７１及び上下の案内片７２，７２’により取り囲まれて前後方向に移動可能に支持される。また、本体部７１の後端には、外側に傾斜する傾斜部７１ａを介して後方に延びる平板部７３が形成されている。本体部７１の上端に形成された案内片７２及び平板部７３の上端には、フレーム２０の連結片２８の下側に入り込む複数の係止片７４が設けられ、本体部７１の下端に形成された案内片７２’及び平板部７３の下端には、フレーム２０の折り曲げ部２６の上側に入り込む複数の係止片７５が設けられている。係止片７４，７５によりカバー部材７０は、フレーム２０に取り付けられる。また、平板部７３の上端には、第１バー５０を後方に付勢する引張ばね８０の他方のフック部が掛かり止めされる掛止部７６が外側に向けて折り曲げ形成されている。さらに、本体部７１には、第１バー５０のロック解除時に、ストッパ２９のテーパ面２９ａにより外側に撓んだ係合アーム５３を内側に付勢する第２テーパ部７７が設けられている。第２テーパ部７７は、図７に示すように、本体部７１から斜め後方に傾斜するように形成される。また、本体部７１には、第１バー５０のロック解除時に、係合アーム５３を上方へ撓ませる第１テーパ部７８が形成されている。また、本体部７１には、第１バー５０のロック解除時に、第２バー６０の前進を防止する弾性片（弾性ロック部材）７９が内側に向けて突出形成されている。弾性片７９は、第２バー６０の孔６６に係止して、第１バー５０のロック解除時の第２バー６０の前進を防止する。
【００２３】
図３に示すようにイジェクト機構４０をフレーム２０に組み付けた後に、この組立体をハウジング１０に取り付けることにより、カードコネクタ１は完成する。
次に、本発明の作用を図８乃至図１２を参照して説明する。図８はイジェクト機構の動作をカバー部材を取り付けた状態で示し、（Ａ）はカード挿入前の状態、（Ｂ）はカード挿入後の状態、（Ｃ）は第１バーのロック解除時の状態、（Ｄ）は第１バーのロックを解除してイジェクトボタンが排出操作位置に突出した状態、（Ｅ）はカードが排出された状態を示している。図９はイジェクト機構の動作をカバー部材を取り外した状態で示し、（Ａ）はカード挿入前の状態、（Ｂ）はカード挿入後の状態、（Ｃ）は第１バーのロック解除時の状態、（Ｄ）は第１バーのロックを解除してイジェクトボタンが排出操作位置に突出した状態、（Ｅ）はカードが排出された状態を示している。図１０は第１バーのロック動作を示し、（Ａ）は平面図、（Ｂ）は左側面図である。図１１は第１バーのロック解除の第１段階を示し、（Ａ）は平面図、（Ｂ）は左側面図である。図１２は第１バーのロック解除の第２段階を示す左側面図である。
【００２４】
図８（Ａ）及び図９（Ａ）に示すように、カードＣの挿入前は、第２バー６０が前方に位置している。その一方、第１バー５０は、係止部５５がフレーム２０のストッパ２９に係止されて後退が防止されている。この第１バー５０のロック時には、図１０に示すように、第１バー５０の係合アーム５３がストッパ２９のテーパ面２９ａによってフレーム２０の側壁部２２に対して外側に撓んでいる。
【００２５】
そして、第１バー５０のロック時に、カードＣを挿入すると、カードＣの挿入に押圧されて回動アーム３０が回動し、図８（Ｂ）及び図９（Ｂ）に示すように、折り曲げ部６５及び第２係合部６４を介して第２バー６０が後退する。第１バー５０のロック時には、第１バー５０の係合アーム５３がストッパ２９のテーパ面２９ａによってフレーム２０の側壁部２２に対して外側に撓んでいるので、図９（Ｂ）に示すように、第２バー６０の第１係合部６２の、フレーム側壁部２２と係合アーム５３に形成された係合部５４との間の通過が許容される。
【００２６】
そして、カードＣを排出するときには、図８（Ｃ）及び図９（Ｃ）に示すように、第１バー５０のイジェクトボタン９０を押圧して前進させて第１バー５０のロックを解除する。この第１バー５０のロック解除時には、図１１に示すように、ストッパ２９のテーパ面２９ａにより外側に撓んだ係合アーム５３がカバー部材７０の第２テーパ部７７により内側に付勢されると共に第１テーパ部７８により上方へ撓む。第１テーパ部７８により上方へ撓んだ係合アーム５３の係止部５５は、図１２に示すように、ストッパ２９より幅広の第２バー６０の案内部６３の側縁６３ａと係合する。また、第１バー５０の支持片５６が案内部６３の下に入り込んで第２バー６０の案内部６３を係合アーム５３に形成された係止部５５とともに挟み込む。この第１バー５０のロック解除時には、カバー部材７０に形成された弾性片７９が第２バー６０の孔６６に係止して、第２バー６０の前進を防止する。カードＣの挿入後、何らかの理由でカードＣが若干抜去された状態になると、イジェクトボタン９０の押圧に伴って第２バー６０が前進するおそれがある。第２バー６０が前進してしまうと、支持片５６及び係止部５５が案内部６３を挟み込むことができず、案内部６３及びストッパ２９を近接させることができない。このことは、係止部５５がストッパ２９に係止してイジェクトボタン９０が図９（Ｄ）の位置に至らないことを意味する。しかし、弾性片７９及び孔６６の係止によりこの不具合を未然に防止できる。
【００２７】
そして、第１バー５０の押圧操作をやめると、図８（Ｄ）及び図９（Ｄ）に示すように、第１バー５０を後方へ付勢する引張ばね８０の作用により第１バー５０が後退し、図１２に示すように、係合アーム５３の係止部５５が案内部６３の側縁６３ａに沿って移動しつつストッパ２９横を通過してロックが解除される。このとき、係合アーム５３の係止部５５と支持片５６とにより挟み込まれた案内部６３がストッパ２９近傍まで後退する。このとき同時に、係合アーム５３に形成された係合部５４が第１係合部６２の案内傾斜面６２ａに沿いつつ係合アーム５３が後退し、ロックが解除される。そして、第１バー５０に設けられたイジェクトボタン９０はカードＣの排出操作位置に突出する。
【００２８】
そして、図８（Ｅ）及び図９（Ｅ）に示すように、突出したイジェクトボタン９０を押圧して前進させると、第１バー５０の係合アーム５３に形成された係合部５４が第２バー６０の第１係合部６２に係合して第２バー６０が前進する。これにより、第２バー６０の第２係合部６４、折り曲げ部６５を介して回動アーム３０が回動し、カードＣが抜出方向に排出される。
【００２９】
そして、第１バー５０の押圧操作をやめると、引張ばね８０の作用により第１バー５０が後退し、図８（Ａ）及び図９（Ａ）に示す元の状態に戻って、係合アーム５３の係止部５５がストッパ２９に係止され、第１バー５０の後退が防止される。
なお、カードＣがコネクタ内に挿入されていないときには、図８（Ａ）及び図９（Ａ）に示すように、第２バー６０が前方位置に位置しているため、この状態で第１バー５０のイジェクトボタン９０を押圧して前進させても、係合アーム５３の係止部５５が第２バー６０の案内部６３の側縁６３ａと係合しないため、第１バー５０のロックを解除できない。
【００３０】
以上説明したように、カードＣをコネクタ内に挿入しているとき及びカードＣをコネクタ内に挿入していないときには、イジェクトボタン９０が排出操作位置に突出せず、コネクタ内に挿入しているカードＣを排出するときのみイジェクトボタン９０を突出させるようにしたいわゆるプッシュープッシュ作用を可能にしたイジェクト機構４０を有するカードコネクタ１とすることができる。
【００３１】
そして、このイジェクト機構４０は、従来の図１６に示したような揺動するカム部材を必要とせず、製造容易であるとともに、その組立作業も容易なものとすることができる。
また、イジェクト機構４０にハートカム構造を採用せず、イジェクト機構４０の幅寸法を小さくできる。
以上、本発明の実施形態について説明してきたが、本発明はこれに限定されずに種々の変更、改良を行うことができる。
例えば、第１バー５０、第２バー６０、及びカバー部材７０は、金属製でなく、樹脂製であってもよい。
【００３２】
【発明の効果】
以上説明したように、本発明に係るカードコネクタによれば、イジェクト機構にハートカム構造を採用せずに幅寸法を小さくできるとともに、揺動するカム部材を要することなくいわゆるプッシュープッシュ作用を可能にしたプッシュープッシュ式イジェクト機構を有するカードコネクタとすることができる。
【図面の簡単な説明】
【図１】本発明に係るカードコネクタを示し、（Ａ）は背面図、（Ｂ）は平面図、（Ｃ）は正面図である。
【図２】図１のカードコネクタを示し、（Ａ）は右側面図、（Ｂ）は左側面図である。
【図３】フレームとイジェクト機構との組立状態を示し、（Ａ）は平面図、（Ｂ）は正面図、（Ｃ）は左側面図である。
【図４】フレームを示し、（Ａ）は平面図、（Ｂ）は正面図、（Ｃ）は左側面図である。
【図５】第１バーを示し、（Ａ）は平面図、（Ｂ）は左側面図である。
【図６】第２バーを示し、（Ａ）は平面図、（Ｂ）は左側面図である。
【図７】カバー部材を示し、（Ａ）は平面図、（Ｂ）は左側面図、（Ｃ）は底面図、（Ｄ）は正面図である。
【図８】イジェクト機構の動作をカバー部材を取り付けた状態で示し、（Ａ）はカード挿入前の状態、（Ｂ）はカード挿入後の状態、（Ｃ）は第１バーのロック解除時の状態、（Ｄ）は第１バーのロックを解除してイジェクトボタンが排出操作位置に突出した状態、（Ｅ）はカードが排出された状態を示している。
【図９】イジェクト機構の動作をカバー部材を取り外した状態で示し、（Ａ）はカード挿入前の状態、（Ｂ）はカード挿入後の状態、（Ｃ）は第１バーのロック解除時の状態、（Ｄ）は第１バーのロックを解除してイジェクトボタンが排出操作位置に突出した状態、（Ｅ）はカードが排出された状態を示している。
【図１０】第１バーのロック動作を示し、（Ａ）は平面図、（Ｂ）は左側面図である。
【図１１】第１バーのロック解除の第１段階を示し、（Ａ）は平面図、（Ｂ）は左側面図である。
【図１２】第１バーのロック解除の第２段階を示す左側面図である。
【図１３】従来例のプッシュープッシュ式イジェクト機構を有するカードコネクタの斜視図である。
【図１４】図１３に示したカードコネクタのイジェクト機構の主要部の断面斜視図である。
【図１５】従来の他の例のプッシュープッシュ式イジェクト機構を有するカードコネクタの斜視図である。
【図１６】図１５に示したカードコネクタのイジェクト機構の主要部を示し、（Ａ）は平面図、（Ｂ）は側面図である。
【符号の説明】
１  カードコネクタ
１０  ハウジング
１３  コンタクト
２０  フレーム
２２  側壁部（側壁）
２９  ストッパ
２９ａ  テーパ面
３０  回動アーム
４０  イジェクト機構
５０  第１バー
５３  係合アーム
５６  支持片
６０  第２バー
６２  第１係合部
６２ａ  案内傾斜面
６３  案内部
６４  第２係合部
７０  カバー部材
７７  第２テーパ部
７８  第１テーパ部（テーパ部）
７９  弾性片（弾性ロック部材）
８０  引張ばね（付勢手段）
９０  イジェクトボタン（操作部）
Ｃ  カード
【図１】
2005011574.tif 000003
【図２】
2005011574.tif 000004
【図３】
2005011574.tif 000005
【図４】
2005011574.tif 000006
【図５】
2005011574.tif 000007
【図６】
2005011574.tif 000008
【図７】
2005011574.tif 000009
【図８】
2005011574.tif 000010
【図９】
2005011574.tif 000011
【図１０】
2005011574.tif 000012
【図１１】
2005011574.tif 000013
【図１２】
2005011574.tif 000014
【図１３】
2005011574.tif 000015
【図１４】
2005011574.tif 000016
【図１５】
2005011574.tif 000017
【図１６】
2005011574.tif 000018